(57)【要約】【課題】マイナスイオンを噴き付けながら頭部の血行を促進させることを目的とする。【解決手段】頭部に装着されるヘッド部２１は、頭部に電流を流すために用いられる複数のピン２４，２５，２６が配設されるとともに、その内部にマイナスイオンを発生させるマイナスイオン発生手段６１と、発生させたマイナスイオンを頭部に噴き付けるために用いられるファン６３とを有し、ヘッド部２１の内部の空洞部分６２と貫通孔６４とを通じてマイナスイオンを頭部に噴き付けるように構成した。【選択図】  図３
2004215950.tif 000002
【特許請求の範囲】
【請求項１】
耳当て部を備えることで頭部に装着可能に構成され、前記頭部に向かうように配設された多数のピンを備えたヘッド部を含む血行促進具と、前記ピンの間に前記頭部を介して通電する交流電流を出力する出力回路及び電流制御部とを含む制御装置とを備え、前記ヘッド部または前記制御装置にマイナスイオンを発生させるマイナスイオン発生手段と、発生させた前記マイナスイオンを前記頭部へと導くために用いられるファンと有し、前記ヘッド部に形成された噴出孔から前記マイナスイオンを前記頭部に向かって噴き付けるように構成したことを特徴とするマイナスイオン発生手段を備えた血行促進装置。
【請求項２】
前記マイナスイオン発生手段と前記ファンとを前記ヘッド部内に設けたことを特徴とする請求項１に記載のマイナスイオン発生手段を備えた血行促進装置。
【発明の詳細な説明】
【０００１】
【発明の属する技術分野】
本発明は、頭部に電流を流して血行を促進させる血行促進装置に関するものである。
【０００２】
【従来の技術】
従来、頭部の発毛を促進させる等の目的で、頭部（頭皮）に微小電流を流して頭部の血行を促進する血行促進装置は、被施術者の頭部に当接する多数の導電性のピンを備えたブラシと、ブラシに電流を供給する制御装置とから構成されていた（例えば、特許文献１参照。）。
このような血行促進装置を操作する施術者は、ブラシを手に持って、被施術者の頭部の所定位置にピンを当接させる。この状態でブラシに通電し、複数のピンの間で頭部を介して電流を流すと、頭部の電流が流れた領域は微小電流による筋肉運動の発生等により血行が促進させられる。そして、所定時間だけ通電したら、頭部に対するブラシの当接位置を変えて、他の場所も血行が促進させられる。
【０００３】
一方、近年、マイナスイオンが人体に好影響を与える可能性があるという報告がなされており、マイナスイオンを発生させる装置の開発も行われている。ここで、マイナスイオンを発生させる手段としては、例えば、放電電極と接地電極との間に交流の高電圧を発生させてコロナ放電を起こし、マイナスイオンを発生させるもの（例えば、特許文献２参照）や、自然状態でマイナスイオンを放射しうる材料を用いたもの（例えば、特許文献３参照）があげられる。
【０００４】
【特許文献１】
実用新案登録第３００５９９０号公報（段落番号００２２および００２３）
【特許文献２】
特開２００２−１３３４１３号公報（段落番号００１３および００１４、図１）
【特許文献３】
特開２０００−１５６１８３号公報（段落番号００３２および００３３）
【０００５】
【発明が解決しようとする課題】
しかしながら、従来の血行促進装置では、装置を手に持った状態で血行促進を行わせるために、頭部の広い領域にわたって血行促進をさせることが困難である。さらに、このような血行促進をさらに効果的に行いたいという要望もあった。
したがって、本発明は、電流供給を確実に行うことで頭部の血行を促進させると共に、血行促進をさらに効果的に行うことを目的とする。
【０００６】
【課題を解決するための手段】
前記の課題を解決するための手段としては、耳当て部を備えることで頭部に装着可能に構成され、頭部に向かうように配設された多数のピンを備えたヘッド部を含む血行促進具と、ピンの間に頭部を介して通電する交流電流を出力する出力回路及び電流制御部とを含む制御装置とを備え、ヘッド部または制御装置にマイナスイオンを発生させるマイナスイオン発生手段と、発生させたマイナスイオンを頭部へと導くために用いられるファンと有し、ヘッド部に形成された噴出孔からマイナスイオンを頭部に向かって噴き付けるように構成したマイナスイオン発生手段を備えた血行促進装置があげられる。
【０００７】
このような血行促進装置は、頭部に装着した状態でピンへの通電により血行促進が図られる。この際に、マイナスイオン発生手段で発生させられたマイナスイオンがヘッド部から頭部に噴き付けられる。
【０００８】
また、前記の構成おいて、マイナスイオン発生手段と前記ファンとを前記ヘッド部内に設けて良い。発生させたマイナスイオンが速やかに頭部に噴き付けられるので効率が向上する。
【０００９】
【発明の実施の形態】
本発明の実施形態について図面を参照しながら説明する。
図１の全体構成図および図２の断面図に示すように、本実施形態の血行促進装置１は、被施術者の頭部に接触するピン２４，２５，２６およびマイナスイオン発生手段６１を含む血行促進具２と、血行促進具２のピンに流す電流を制御する制御装置３とを有し、血行促進具２と制御装置３とを電気ケーブル４で接続した構成を有している。
【００１０】
血行促進具２の概略構成は、頭部を横断するように延びるヘッド部２１と、ヘッド部２１の両端のそれぞれから延びるヘッドバンド２２と、ヘッドバンド２２の端部に固定され被施術者の耳を覆う耳当て部２３とからなる。
【００１１】
図１および図２に示すようにヘッド部２１は、被施術者の頭部の天頂付近に当接するピン２４が突出する第一ブロック２７と、第一ブロック２７の両側方にそれぞれ配置され、ピン２５が突出する第二ブロック２８、ピン２６が突出する第三ブロック２９とを有していており、その内部に空洞部分６２を有し、空洞部分６２にはマイナスイオン発生手段６１が配置されている。さらに、マイナスイオン発生手段６１が発生させたマイナスイオンを頭部に空洞部分６２を通じて頭部に噴き付けるためのファン６３もヘッド部２１に取り付けられている。ここにおいて、空洞部分６２と、空洞部分６２から頭部に向けて各ブロック２７，２８，２９のそれぞれを貫通するように形成された孔（噴出孔６４）とがマイナスイオンの噴出経路となる。空洞部分６２はマイナスイオン発生手段６１と各噴出孔６４とにそれぞれ連通させることができる形状を有していれば、図２の形状に限定されないものとする。
【００１２】
図１に示すように各ブロック２７，２８，２９は、それぞれ９本のピンを有している。各ピン２４，２５，２６は、一端側が頭部に当接する先端部であり、他端側は各ブロック２７，２８，２９に設けられたそれぞれのカバー２７ａ，２８ａ，２９ａに収容されると共に、図示しないスプリングにより頭部側に付勢されている。本実施形態では、後に説明する制御装置３によって、選択された一つのブロック２７，２８，２９のピン２４，２５，２６間にのみ電流が供給される。そして、通電されるブロック２７，２８，２９を選択することで頭部の左右方向の血行促進を偏らないように行っている。また、図２に示すように各ピン２４，２５，２６の突出位置の間、例えば対角線上には前記した噴出孔６４が形成されている。
【００１３】
マイナスイオン発生手段６１は、例えば、図３に示すように、制御装置３からの電力供給を受けて所定の周波数の交流電流を発生させる発信回路７１と、交流電流の電圧を高めるトランス７２と、トランス７２に接続された放電電極であるイオン化針７３と、アースされた接地電極７４とを有する。このマイナスイオン発生手段６１は、イオン化針７３と接地電極７４との間にコロナ放電を発生させることで空気をイオン化してマイナスイオンを発生させる。
【００１４】
図２に示すようにファン６３は、ヘッド部２１においてピン２４，２５，２６の突出側、つまり頭部に向かう方向とは反対側の天頂面２１ａにおいて空洞部分６２に連通するように形成された開口７５に回転可能に収容されており、図１に示す制御装置３からの電力供給により稼動する。ファン６３の配設位置は、マイナスイオン発生手段６１で発生させたマイナスイオンを噴出経路を経て頭部に噴き付けるのに適した位置であり、例えば、マイナスイオン発生手段６１の上部があげられる。
【００１５】
ヘッドバンド２２は、ヘッド部２１に所定角度だけ回動可能に固定されているので、ヘッド部２１の向きを被施術者の頭部の形状に合わせて微調整することが可能である。
また、耳当て部２３は、耳全体を覆っており、血行促進具２は耳当て部２３とピン２４，２５，２６で被施術者の頭部に係止される。なお、本実施形態では、図４（ａ）、（ｂ）に示すように、被施術者の耳に対して耳当て部２３の向きを変えることにより血行促進具１の被り方を四通りに変更させることで、頭部の前後方向の血行促進を偏りなく行うことを可能にしている。
【００１６】
次に、制御装置の構成について説明する。
図５の構成図に示すように制御装置３は、電流値の設定等を行う操作部３１および表示部３２、並びに、必要な電流を血行促進具２（図１参照）に供給するための出力回路３３、トランス３５、リレー３９，４０と、電流量を制御するための整流回路３７、フォトカプラ３８、比較回路３６、および、電流制御部３４を含んで構成されている。なお、整流回路３７、フォトカプラ３８、および、比較回路３６が通電検出部に相当している。
【００１７】
出力回路３３は、操作部３１において設定された電流を供給するための積分回路等からなっている。出力回路３３で発生した電流は、トランス３５により変圧された後に、リレー３９により選択された出力端子ＯＵＴ１，ＯＵＴ２，ＯＵＴ３、および、リレー４０により選択された出力端子ＯＵＴ４，ＯＵＴ５，ＯＵＴ６から図示しない血行促進具２に供給される。また、出力回路３３はマイナスイオン発生手段６１やファン６３に対して電力供給を行う役割も担う。
【００１８】
リレー３９，４０は、リレー３９により出力端子ＯＵＴ１が選択された場合には、リレー４０により出力端子ＯＵＴ４が選択されるように制御されている。同様に、リレー３９により出力端子ＯＵＴ２が選択された場合にはリレー４０により出力端子ＯＵＴ５が選択され、リレー３９により出力端子ＯＵＴ３が選択された場合にはリレー４０により出力端子ＯＵＴ６が選択される。
【００１９】
出力端子ＯＵＴ１と出力端子ＯＵＴ４は、図１に示す血行促進具２の第一ブロック２７のピン２４に電気的に接続されており、出力端子ＯＵＴ２と出力端子ＯＵＴ５は、血行促進具２の第二ブロック２８のピン２５に電気的に接続されている。そして、出力端子ＯＵＴ３と出力端子ＯＵＴ６は、血行促進具２の第三ブロック２９のピン２６に電気的に接続されている。したがって、リレー３９，４０により出力端子ＯＵＴ１〜ＯＵＴ３，ＯＵＴ４〜ＯＵＴ６が切り替えられると、血行促進具２の通電箇所、つまり、頭部の血行促進が図れる部位が切り替えられる。リレー３９，４０の切り替えは、例えば３０秒ごとに行われ、本実施形態ではリレー３９，４０の切り替えのインターバルを５秒とっている。
【００２０】
また、整流回路４０は、トランスからリレー４０に流れる交流電流を、整流して、直流電流として分岐し、フォトカプラ３８に供給するものである。
フォトカプラ３８は、整流回路３７側のフォトダイオードと、比較回路３６側の受光素子とからなり、交流電流の通電を光を用いて検出している。
比較回路３６は、頭部とピン２４，２５，２６の接触状態を検出するためのものであり、フォトカプラ３８からの電流の入力の有無によって頭部とピン２４，２５，２６の接触状態を判定する。
【００２１】
操作部３１は、血行促進装置１の電源や、頭部に流す電流値の設定や、マイナスイオンの発生を選択するために用いられる。本実施形態では、操作部３１の操作によりピン２４，２５，２６から電流を流すがマイナスイオンは発生させない場合と、ピン２４，２５，２６に電流を流しながらマイナスイオンを発生させる場合と、マイナスイオンのみを発生させる場合とが選択できるようになっている。マイナスイオンだけを発生させない場合には出力回路３３はピン２４，２５，２６には通電するが、マイナスイオン発生手段６１とファン６３とには通電しない。一方、マイナスイオンだけを発生させる場合には出力回路３３はマイナスイオン発生手段６１とファン６３とにだけ通電する。ピン２４，２５，２６に電流を流しながらマイナスイオンを発生させる場合には、ピン２４，２５，２６と、マイナスイオン発生手段６１と、ファン６３に通電する。なお、ピン２４，２５，２６に通電とは、ピン２４とピン２５とピン２６の少なくともどれかに通電することをいうものとする。
【００２２】
次に、血行促進装置１による施術手順について以下に説明する。
まず、被施術者の頭部の図４（ｂ）に示す位置に血行促進具２を装着させる。次に、施術者は、制御装置３の操作部３１を操作して、出力値を設定し、スタートボタンを押す。
ここで、初期状態として、リレー３９は出力端子ＯＵＴ１を接続状態にしており、リレー４０は出力端子ＯＵＴ４を接続状態にしている。したがって、第一ブロック２７のピン２４間に頭部を介して微弱電流が流れ、図４（ａ）に示す部分Ｐ１の頭部の血行促進が開始される。また、この際に、マイナスイオン発生手段６１とファン６３とにも電力が供給され、マイナスイオン発生手段６１で発生させられたマイナスイオンがファン６３により噴射経路を経て頭部に噴き付けられる。頭部への通電は、徐々に出力が増加され、設定出力に到達した後も所定時間（例えば３０秒）維持される。
【００２３】
所定時間経過した後に、リレー３９は出力端子ＯＵＴ１から出力端子ＯＵＴ２に切り替えを行い、リレー４０は出力端子ＯＵＴ４から出力端子ＯＵＴ５にそれぞれ切り替えるので、血行促進具２は、第二ブロック２８により頭部の部分Ｐ２の血行を促進させる。
さらに所定時間経過後に、リレー３９，４０が出力端子ＯＵＴ３、出力端子ＯＵＴ６への切り替えを行い、血行促進具２の第三ブロック２９による頭部の部分Ｐ３（図４（ａ）参照）の血行を促進させる。
このように、頭部の左右方向において三段階に分割して順番に通電させることにより、一度に大量の電流が頭部に流れて、被施術者に不快感を与えることを防止している。また、この間はマイナスイオンが継続して頭部に噴き付けられる。
【００２４】
図４（ａ）に示す頭部の部分Ｐ１から部分Ｐ３までの血行を促進させたら、ヘッド部２１を頭部の後側にずらして、同様にしてマイナスイオンを噴き付けながら頭部の部分Ｐ４、部分Ｐ５、部分Ｐ６に順番に通電して、血行を促進させる。
さらに、ヘッド部２１を頭部の前方にずらして、マイナスイオンを噴き付けながら頭部の部分Ｐ７、部分Ｐ８、部分Ｐ９の血行を順番に促進させる。
そして、ヘッド部２１を頭部の、さらに前方にずらして、マイナスイオンを噴き付けながら頭部の部分Ｐ１０、部分Ｐ１１、部分Ｐ１２の血行を順番に促進させる。
【００２５】
このようにして、本実施形態の血行促進装置１は、マイナスイオンを頭部に噴き付けながら被施術者の頭部の血行を促進させることができる。各ブロック２７，２８，２９に設けた噴射孔６４からマイナスイオンを噴き付けるので、頭部にまんべんなくマイナスイオンを噴き付けることが可能である。また、ピン２４，２５，２６と頭部の接触状態を判定しながら通電するので、確実な施術が実現できる。血行促進具２を三つのブロックに分割して、順番に通電させることで、頭部の広い範囲であっても、確実に血行を促進させることができる。
【００２６】
なお、本発明は前記の実施形態に限定されずに広く応用することができる。
例えば、図６に示すように、制御装置３にマイナスイオン発生手段６１とファン６３を備え、制御装置３側で発生させたマイナスイオンを電気ケーブル４とは別のマイナスイオン供給用のケーブル８１でヘッド部２１の空洞部分６２（図２参照）に導き、噴出孔６４から頭部に噴き出すようにしても良い。ヘッド部２１を小型化、かつ軽量化することが可能である。この場合のマイナスイオンの噴出経路は制御装置内の空洞部分８２と、ケーブル８１と、ヘッド部２１の空洞部分６２と、噴出孔６４とからなる。
【００２７】
また、マイナスイオン発生手段６１としては、高電圧を用いる手段の他に、自然にマイナスイオンを発生する材料を用いても良い。このような材料としては、例えばトルマリンを加工した粉体や、炭、放射性鉱石、シリカとアルミナを主成分とするセラミックスなどがあげられる。トルマリンを用いる場合には、トルマリンに圧力をかけたり、加熱したりする手段を設けることが望ましい。
【００２８】
【発明の効果】
本発明によれば、頭部に装着した状態で血行促進を行うことが可能になり、ヘッド部に形成された噴出孔からマイナスイオンを噴出させることで、頭部にマイナスイオンを噴き付けながら、頭部を血行を促進させることが可能になる。
【図面の簡単な説明】
【図１】本発明の実施形態における血行促進装置を示す図である。
【図２】ヘッド部の断面図である。
【図３】マイナスイオン発生手段の概略構成図である。
【図４】（ａ）血行促進具を装着した頭部の平面図、（ｂ）血行促進具を装着した頭部の側面図である。
【図５】制御装置のブロック図である。
【図６】本発明の実施形態における血行促進装置を示す図である。
【符号の説明】
１    血行促進装置
２    血行促進具
３    制御装置
２１    ヘッド部
２４，２５，２６    ピン
６１    マイナスイオン発生手段
６２    空洞部分
６３    ファン
６４    噴出孔
【図１】
2004215950.tif 000003
【図２】
2004215950.tif 000004
【図３】
2004215950.tif 000005
【図４】
2004215950.tif 000006
【図５】
2004215950.tif 000007
【図６】
2004215950.tif 000008